(57)【要約】  制御ユニットおよび火炎発生ユニットを備える消火訓練装置、ならびにそれらを使用する方法およびシステムを提供する。
2007528261.tif 000002
【特許請求の範囲】
【請求項１】
入力を受け取り、前記入力に応答して自動的に出力を形成する制御ユニットと、
前記制御ユニットと通信する火炎発生ユニットと
を備える消火訓練装置。
【請求項２】
前記入力が、電磁スペクトル内の発光クラス、少なくとも１つの外部指令、少なくとも１つの消火剤、圧力波、およびそれらの組合せからなる群から選択される、請求項１に記載の装置。
【請求項３】
前記発光クラスが、紫外線（ＵＶ）、可視光線、赤外線（ＩＲ）、遠赤外線、マイクロウェーブ、および無線周波数波（ＲＦ）、およびそれらの組合せからなる群から選択される、請求項２に記載の装置。
【請求項４】
前記消火剤が、水、空気と水の混合物、二酸化炭素、重炭酸ナトリウム、コーンスターチ、およびそれらの組合せからなる群から選択される、請求項２に記載の装置。
【請求項５】
前記外部指令が、音声指令、電子的指令、電子信号、およびそれらの組合せからなる群から選択される、請求項２に記載の装置。
【請求項６】
前記出力が、模擬火災、制御式模擬火災、成績測定計算値、少なくとも１つの外部指令、およびそれらの組合せからなる群から選択される、請求項１に記載の装置。
【請求項７】
前記成績測定計算値が、使用者の総合評点、正確度評点、精密度評点、訓練完結時間、作業履歴、残余消火剤、標的精度、困難度レベル、改善度、総合改善度、およびそれらの組合せからなる群から選択される１つを含む、請求項６に記載の装置。
【請求項８】
前記模擬火災が、熱および光を放出する急速、持続的化学変化であり、少なくとも１つの火炎およびその組合せを伴う、請求項６に記載の装置。
【請求項９】
前記制御式模擬火災が、熱および光を放出する急速、持続的化学変化であり、指令に応じて形状、高さ、体積、大きさ、速度を変更することができる少なくとも１つの火炎、およびその組合せを伴う、請求項６に記載の装置。
【請求項１０】
前記少なくとも１つの外部指令が、音声指令、電子的指令、電子信号、視覚信号、およびそれらの組合せからなる群から選択される、請求項６に記載の装置。
【請求項１１】
前記制御ユニットが、入力センサ、送信機、手持式制御装置、論理システム、およびそれらの組合せからなる群から選択される１つをさらに備える、請求項１に記載の装置。
【請求項１２】
前記手持式装置が、前記制御ユニットとの無線通信、前記制御ユニットとの有線通信、およびそれらの組合せを行う、請求項１１に記載の装置。
【請求項１３】
前記入力センサが、電磁スペクトル内の少なくとも１つの発光クラス、外部指令、消火剤、圧力波、およびそれらの組合せからなる群から選択される１つを感知することができる、請求項１１に記載の装置。
【請求項１４】
前記送信機が、電磁スペクトル内の少なくとも１つの発光クラス、外部指令、消火剤、圧力波、およびそれらの組合せからなる群から選択される１つを送信することができる、請求項１１に記載の装置。
【請求項１５】
前記火炎発生ユニットが、少なくとも１つの火炎発生本体、燃料入口、燃料流量制御部、着火装置、少なくとも１つの火炎マニホールド、少なくとも１つの温度センサ、およびそれらの組合せをさらに備える、請求項１に記載の装置。
【請求項１６】
前記制御ユニットが手持可搬式である、請求項１に記載の装置。
【請求項１７】
前記火炎発生ユニットが手持可搬式である、請求項１に記載の装置。
【請求項１８】
前記通信が、無線、有線、またはそれらの組合せからなる群から選択される１つを介する、請求項１に記載の装置。
【請求項１９】
前記火炎発生ユニットが、他の少なくとも１つの火炎発生ユニットとモジュール式に構成可能である、請求項１に記載の装置。
【請求項２０】
前記モジュール式構成可能とは、前記少なくとも１つの火炎発生ユニットが第２の火炎発生ユニットに作動可能に適合可能であることを包含する、請求項１９に記載の装置。
【請求項２１】
前記制御ユニットが、少なくとも１つの火炎発生ユニットとモジュール式に作動可能である、請求項１に記載の装置。
【請求項２２】
前記モジュール式に作動可能とは、前記制御ユニットが、少なくとも１つの火炎発生ユニットを作動させることができることを意味する、請求項２１に記載の装置。
【請求項２３】
入力を受け取り、前記入力に応答して自動的に出力を形成する制御ユニットを設けるステップと、
前記制御ユニットと通信する火炎発生ユニットを設けるステップと、
前記入力を加えるステップと
を含む消火訓練方法。
【請求項２４】
前記入力が、電磁スペクトル内の発光、外部指令、消火剤、圧力波、およびそれらの組合せからなる群から選択される、請求項２３に記載の方法。
【請求項２５】
前記発光が、紫外線（ＵＶ）、可視光線、赤外線（ＩＲ）、遠赤外線、マイクロウェーブ、および無線周波数波（ＲＦ）、およびそれらの組合せからなる群から選択される、請求項２３に記載の方法。
【請求項２６】
前記消火剤が、水、空気と水の混合物、二酸化炭素、重炭酸ナトリウム、コーンスターチ、およびそれらの組合せからなる群から選択される、請求項２３に記載の方法。
【請求項２７】
前記外部指令が、音声指令、電子的指令、電子信号、およびそれらの組合せからなる群から選択される、請求項２３に記載の方法。
【請求項２８】
前記出力が、模擬火災、制御式模擬火災、成績測定計算値、少なくとも１つの外部指令、およびそれらの組合せからなる群から選択される、請求項２３に記載の方法。
【請求項２９】
前記成績測定計算値が、使用者の総合評点、正確度評点、精密度評点、訓練完結時間、作業履歴、残余消火剤、標的精度、困難度レベル、改善度、総合改善度、およびそれらの組合せからなる群から選択される１つを含む、請求項２８に記載の方法。
【請求項３０】
前記模擬火災が、熱および光を放出する急速、持続的化学変化であり、少なくとも１つの火炎およびその組合せを伴う、請求項２９に記載の方法。
【請求項３１】
前記制御式模擬火災が、熱および光を放出する急速、持続的化学変化であり、形状、高さ、体積、大きさ、および速度からなる群から選択される１つを指令に応じて変更することができる少なくとも１つの火炎、およびその組合せを伴う、請求項２９に記載の方法。
【請求項３２】
前記外部指令が、音声指令、電子的指令、電子信号、可視信号、およびそれらの組合せからなる群から選択される、請求項２９に記載の方法。
【請求項３３】
前記制御ユニットが、少なくとも１つの入力センサ、送信機、手持式制御装置、および論理システム、ならびにそれらの組合せをさらに備える、請求項２３に記載の方法。
【請求項３４】
前記手持式装置が、前記制御ユニットとの無線通信、前記制御ユニットとの有線通信、およびそれらの組合せを行う、請求項３３に記載の方法。
【請求項３５】
前記入力センサが、前記電磁スペクトル内の少なくとも１つの発光クラス、少なくとも１つの外部指令、少なくとも１つの消火剤、圧力波、およびそれらの組合せからなる群から選択される１つを感知することができる、請求項３３に記載の方法。
【請求項３６】
前記送信機が、前記電磁スペクトル内の少なくとも１つの発光クラス、少なくとも１つの外部指令、圧力波、およびそれらの組合せからなる群から選択される１つを送信することができる、請求項３３に記載の方法。
【請求項３７】
前記火炎発生ユニットが、少なくとも１つの火炎発生本体、燃料入口、燃料流量制御部、着火装置、少なくとも１つの火炎マニホールド、少なくとも１つの温度センサ、およびそれらの組合せをさらに備える、請求項２３に記載の方法。
【請求項３８】
前記制御ユニットが手持可搬式である、請求項２３に記載の方法。
【請求項３９】
前記火炎発生ユニットが手持可搬式である、請求項２３に記載の方法。
【請求項４０】
前記制御ユニットと前記火炎発生ユニットの間の前記通信が、無線、有線、およびそれらの組合せである、請求項２３に記載の方法。
【請求項４１】
前記火炎発生ユニットが、他の少なくとも１つの火炎発生ユニットとモジュール式に構成可能である、請求項２３に記載の方法。
【請求項４２】
前記モジュール式に構成可能とは、第１の発生ユニットが、少なくとも第２の火炎発生ユニットと共に機能するように作動可能に適合可能であることを包含する、請求項４１に記載の方法。
【請求項４３】
前記制御ユニットが、少なくとも１つの火炎発生ユニットとモジュール式に作動可能である、請求項２３に記載の方法。
【請求項４４】
前記モジュール式に作動可能とは、前記制御ユニットが、少なくとも１つの火炎発生ユニットを作動させることができることを包含する、請求項４３に記載の方法。
【請求項４５】
入力を受け取り、前記入力に応答して自動的に出力を形成し、さらに火炎発生装置に作動可能に適合可能であり、鎮火装置に作動可能に適合可能である制御ユニット
を備える消火訓練装置。
【請求項４６】
前記入力が、電磁スペクトル内の発光クラス、少なくとも１つの外部指令、少なくとも１つの消火剤、圧力波、およびそれらの組合せからなる群から選択される、請求項４５に記載の装置。
【請求項４７】
前記発光クラスが、紫外線（ＵＶ）、可視光線、赤外線（ＩＲ）、遠赤外線、マイクロウェーブ、および無線周波数波（ＲＦ）、およびそれらの組合せからなる群から選択される、請求項４６に記載の装置。
【請求項４８】
前記消火剤が、水、空気と水の混合物、二酸化炭素、重炭酸ナトリウム、コーンスターチ、およびそれらの組合せからなる群から選択される、請求項４６に記載の装置。
【請求項４９】
前記外部指令が、音声指令、電子的指令、電子信号、およびそれらの組合せからなる群から選択される、請求項４６に記載の装置。
【請求項５０】
前記出力が、模擬火災、制御式模擬火災、成績測定計算値、少なくとも１つの外部指令、およびそれらの組合せからなる群から選択される、請求項４６に記載の装置。
【請求項５１】
前記出力が、制御式模擬火災、成績測定計算値、少なくとも１つの外部指令、およびそれらの組合せからなる群から選択される、請求項４５に記載の装置。
【請求項５２】
前記成績測定計算値が、使用者の総合評点、正確度評点、精密度評点、訓練完結時間、作業履歴、残余消火剤、標的精度、困難度レベル、改善度、総合改善度、およびそれらの組合せからなる群から選択される１つを含む、請求項５１に記載の装置。
【請求項５３】
前記模擬火災が、熱および光を放出する急速、持続的化学変化であり、少なくとも１つの火炎およびその組合せを伴う、請求項５１に記載の装置。
【請求項５４】
前記制御式模擬火災が、熱および光を放出する急速、持続的化学変化であり、指令に応じて、形状、高さ、体積、大きさ、速度からなる群から選択される１つを介して変更することができる少なくとも１つの火炎、およびその組合せを伴う、請求項５１に記載の装置。
【請求項５５】
前記外部指令が、音声指令、電子的指令、電子信号、可視信号、およびそれらの組合せからなる群から選択される、請求項５１に記載の装置。
【請求項５６】
前記制御ユニットが、少なくとも１つの入力センサ、送信機、手持式制御装置、および論理システム、ならびにそれらの組合せからなる群から選択される１つをさらに備える、請求項４５に記載の装置。
【請求項５７】
前記手持式装置が、前記制御ユニットとの無線通信、前記制御ユニットとの有線通信、およびそれらの組合せを行う、請求項５６に記載の装置。
【請求項５８】
前記入力センサが、前記電磁スペクトル内の少なくとも１つの発光クラス、少なくとも１つの外部指令、少なくとも１つの消火剤、圧力波、およびそれらの組合せからなる群から選択される１つを感知することができる、請求項５６に記載の装置。
【請求項５９】
前記送信機が、前記電磁スペクトル内の少なくとも１つの発光クラス、少なくとも１つの外部指令、少なくとも１つの消火剤、圧力波、およびそれらの組合せからなる群から選択される１つを送信することができる、請求項５６に記載の装置。
【請求項６０】
前記送信機が、鎮火装置に作動可能に適合可能である、請求項５６に記載の装置。
【請求項６１】
前記作動可能に適合可能とは、前記鎮火装置が前記送信機を作動させることができるように、前記送信機が前記鎮火装置に合わせて構成されていることを包含する、請求項６０に記載の装置。
【請求項６２】
前記鎮火装置が、火災消火器、擬似火災消火器、消火ホース、擬似消火ホース、ホース、擬似ホース、およびそれらの組合せからなる群から選択される、請求項６０に記載の装置。
【請求項６３】
前記制御ユニットが手持可搬式である、請求項４５に記載の装置。
【請求項６４】
前記制御ユニットが前記火炎発生装置に作動可能に適合可能とは、前記制御ユニットが、前記火炎発生装置を作動させるように構成されていることを意味する、請求項４５に記載の装置。
【請求項６５】
前記制御ユニットが、他の少なくとも１つの火炎発生装置とモジュール式に作動可能である、請求項４５に記載の装置。
【請求項６６】
前記モジュール式に作動可能とは、前記制御ユニットが、少なくとも１つの火炎発生装置を作動させることができることを包含する、請求項６５に記載の装置。
【請求項６７】
入力を受け取り、前記入力に応答して自動的に出力を形成し、さらに火炎発生装置に作動可能に適合可能であり、鎮火装置に作動可能に適合可能である制御ユニットを設けるステップと、
前記火炎発生装置を設けるステップと、
前記鎮火装置を設けるステップと、
入力を加えるステップと
を含む消火訓練方法。
【請求項６８】
前記入力が、電磁スペクトル内の発光クラス、少なくとも１つの外部指令、少なくとも１つの消火剤、圧力波、およびそれらの組合せからなる群から選択される、請求項６７に記載の方法。
【請求項６９】
前記発光クラスが、紫外線（ＵＶ）、可視光線、赤外線（ＩＲ）、遠赤外線、マイクロウェーブ、および無線周波数波（ＲＦ）、およびそれらの組合せからなる群から選択される、請求項６８に記載の方法。
【請求項７０】
前記消火剤が、水、空気と水の混合物、二酸化炭素、重炭酸ナトリウム、コーンスターチ、およびそれらの組合せからなる群から選択される、請求項６８に記載の方法。
【請求項７１】
前記外部指令が、音声指令、電子的指令、電子信号、およびそれらの組合せからなる群から選択される、請求項６８に記載の方法。
【請求項７２】
前記出力が、模擬火災、制御式模擬火災、成績測定計算値、少なくとも１つの外部指令、およびそれらの組合せからなる群から選択される、請求項６７に記載の方法。
【請求項７３】
前記成績測定計算値が、使用者の総合評点、正確度評点、精密度評点、訓練完結時間、作業履歴、残余消火剤、標的精度、困難度レベル、改善度、総合改善度、およびそれらの組合せからなる群から選択された１つを含む、請求項７２に記載の方法。
【請求項７４】
前記模擬火災が、熱および光を放出する急速、持続的化学変化であり、少なくとも１つの火炎およびその組合せを伴う、請求項７２に記載の方法。
【請求項７５】
前記制御式模擬火災が、熱および光を放出する急速、持続的化学変化であり、指令に応じて形状、高さ、体積、大きさ、速度を変更することができる少なくとも１つの火炎、およびその組合せを伴う、請求項７２に記載の方法。
【請求項７６】
前記外部指令が、音声指令、電子的指令、電子信号、可視信号、およびそれらの組合せからなる群から選択される、請求項７２に記載の方法。
【請求項７７】
前記制御ユニットが、少なくとも１つの入力センサ、送信機、手持式制御装置、および論理システム、ならびにそれらの組合せからなる群から選択される１つをさらに備える、請求項６７に記載の方法。
【請求項７８】
前記手持式制御装置が、前記制御ユニットとの無線通信、前記制御ユニットとの有線通信、およびそれらの組合せを行う、請求項７７に記載の方法。
【請求項７９】
前記入力センサが、前記電磁スペクトル内の少なくとも１つの発光クラス、少なくとも１つの外部指令、少なくとも１つの消火剤、圧力波、およびそれらの組合せからなる群から選択される１つを感知することができる、請求項７７に記載の方法。
【請求項８０】
前記送信機が、前記電磁スペクトル内の少なくとも１つの発光クラス、少なくとも１つの外部指令、少なくとも１つの消火剤、圧力波、およびそれらの組合せからなる群から選択される１つを送信することができる、請求項７７に記載の方法。
【請求項８１】
前記送信機が鎮火装置に作動可能に適合可能である、請求項７７に記載の方法。
【請求項８２】
前記作動可能に適合可能とは、前記鎮火装置が前記送信機を作動させることができるように、前記送信機が前記鎮火装置に合わせて構成されていることを包含する、請求項８１に記載の方法。
【請求項８３】
前記鎮火装置が、火災消火器、擬似火災消火器、消火ホース、擬似消火ホース、ホース、擬似ホース、およびそれらの組合せからなる群から選択される、請求項８１に記載の方法。
【請求項８４】
前記制御ユニットが手持可搬式である、請求項６７に記載の方法。
【請求項８５】
前記制御ユニットが、少なくとも１つの火炎発生ユニットとモジュール式に作動可能である、請求項６７に記載の方法。
【請求項８６】
前記モジュール式に作動可能とは、前記制御ユニットが、少なくとも１つの火炎発生ユニットを作動させることができることを包含する、請求項８５に記載の方法。
【請求項８７】
少なくとも１つの入力を受け取る少なくとも１つの入力センサを有し、さらに制御ユニットに作動可能に適合可能な火炎発生ユニットであって、前記制御ユニットが、前記入力に応答して自動的に出力を形成することができる火炎発生ユニット
を備える消火訓練装置。
【請求項８８】
前記入力が、電磁スペクトル内の発光クラス、少なくとも１つの外部指令、少なくとも１つの消火剤、圧力波、およびそれらの組合せからなる群から選択される、請求項８７に記載の装置。
【請求項８９】
前記発光クラスが、紫外線（ＵＶ）、可視光線、赤外線（ＩＲ）、遠赤外線、マイクロウェーブ、および無線周波数波（ＲＦ）、およびそれらの組合せからなる群から選択される、請求項８８に記載の装置。
【請求項９０】
前記消火剤が、水、空気と水の混合物、二酸化炭素、重炭酸ナトリウム、コーンスターチ、およびそれらの組合せからなる群から選択される、請求項８８に記載の装置。
【請求項９１】
前記外部指令が、音声指令、電子的指令、電子信号、およびそれらの組合せからなる群から選択される、請求項８８に記載の装置。
【請求項９２】
前記出力が、模擬火災、制御式模擬火災、成績測定計算値、少なくとも１つの外部指令、およびそれらの組合せからなる群から選択される、請求項８７に記載の装置。
【請求項９３】
前記成績測定計算値が、使用者の総合評点、訓練完結時間、作業履歴、残余消火剤、標的精度、困難度レベル、改善度、およびそれらの組合せからなる群から選択された１つを含む、請求項９２に記載の装置。
【請求項９４】
前記模擬火災が、熱および光を放出する急速、持続的化学変化であり、少なくとも１つの火炎およびその組合せを伴う、請求項９２に記載の装置。
【請求項９５】
前記制御式模擬火災が、熱および光を放出する急速、持続的化学変化であり、指令に応じて形状、高さ、体積、大きさ、速度を変更することができる少なくとも１つの火炎、またはその組合せを伴う、請求項９２に記載の装置。
【請求項９６】
前記制御式模擬火災が、熱および光を放出する急速、持続的化学変化であり、指令に応じて形状、高さ、体積、大きさ、速度を変更することができる少なくとも１つの火炎、またはその組合せを伴う、請求項９２に記載の装置。
【請求項９７】
前記入力センサが、前記電磁スペクトル内の少なくとも１つの発光クラス、少なくとも１つの外部指令、少なくとも１つの消火剤、圧力波、およびそれらの組合せからなる群から選択される１つを感知することができる、請求項８７に記載の装置。
【請求項９８】
前記火炎発生ユニットが、少なくとも１つの火炎発生本体、燃料入口、燃料流量制御部、着火装置、少なくとも１つの火炎マニホールド、少なくとも１つの温度センサ、およびそれらの組合せをさらに備える、請求項８７に記載の装置。
【請求項９９】
前記火炎発生ユニットが手持可搬式である、請求項８７に記載の装置。
【請求項１００】
前記火炎発生ユニットが、他の少なくとも１つの火炎発生ユニットとモジュール式に構成可能である、請求項８７に記載の装置。
【請求項１０１】
前記モジュール式に構成可能とは、少なくとも１つの火炎発生ユニットが、他の少なくとも１つの火炎発生ユニットと共に作動するように作動可能に適合可能であることを包含する、請求項１００に記載の装置。
【請求項１０２】
前記制御ユニットが、少なくとも１つの火炎発生ユニットとモジュール式に作動可能である、請求項８７に記載の装置。
【請求項１０３】
前記モジュール式に作動可能とは、前記制御ユニットが、少なくとも１つの火炎発生ユニットを作動させることができることを包含する、請求項１０２に記載の装置。
【請求項１０４】
少なくとも１つの入力を受け取る少なくとも１つの入力センサを有し、さらに制御ユニットに作動可能に適合可能である火炎発生装置を設けるステップと、
前記入力に応答して自動的に出力を形成する制御ユニットを設けるステップと、
前記入力を加えるステップと
を含む消火訓練方法。
【請求項１０５】
前記入力が、電磁スペクトル内の発光クラス、少なくとも１つの外部指令、少なくとも１つの消火剤、圧力波、およびそれらの組合せからなる群から選択される、請求項１０４に記載の方法。
【請求項１０６】
前記発光クラスが、紫外線（ＵＶ）、可視光線、赤外線（ＩＲ）、遠赤外線、マイクロウェーブ、および無線周波数波（ＲＦ）、およびそれらの組合せからなる群から選択される、請求項１０４に記載の方法。
【請求項１０７】
前記消火剤が、水、空気と水の混合物、二酸化炭素、重炭酸ナトリウム、コーンスターチ、およびそれらの組合せからなる群から選択される、請求項１０４に記載の方法。
【請求項１０８】
前記外部指令が、音声指令、電子的指令、電子信号、およびそれらの組合せからなる群から選択される、請求項１０４に記載の方法。
【請求項１０９】
前記出力が、模擬火災、制御式模擬火災、成績測定計算値、少なくとも１つの外部指令、およびそれらの組合せからなる群から選択される、請求項１０４に記載の方法。
【請求項１１０】
前記成績測定計算値が、使用者の総合評点、正確度評点、精密度評点、訓練完結時間、作業履歴、残余消火剤、標的精度、困難度レベル、改善度、総合改善度、およびそれらの組合せからなる群から選択された１つを含む、請求項１０９に記載の方法。
【請求項１１１】
前記模擬火災が、熱および光を放出する急速、持続的化学変化であり、少なくとも１つの火炎およびその組合せを伴う、請求項１０９に記載の方法。
【請求項１１２】
前記制御式模擬火災が、熱および光を放出する急速、持続的化学変化であり、指令に応じて形状、高さ、体積、大きさ、速度を変更することができる少なくとも１つの火炎、およびその組合せを伴う、請求項１０９に記載の方法。
【請求項１１３】
前記外部指令が、音声指令、電子的指令、電子信号、可視信号、およびそれらの組合せからなる群から選択される、請求項１０９に記載の方法。
【請求項１１４】
前記入力センサが、前記電磁スペクトル内の少なくとも１つの発光クラス、少なくとも１つの外部指令、少なくとも１つの消火剤、圧力波、およびそれらの組合せからなる群から選択される１つを感知することができる、請求項１０４に記載の方法。
【請求項１１５】
前記火炎発生装置が、少なくとも１つの火炎発生本体、燃料入口、燃料流量制御部、着火装置、少なくとも１つの火炎マニホールド、少なくとも１つの温度センサ、およびそれらの組合せをさらに備える、請求項１０４に記載の方法。
【請求項１１６】
前記火炎発生装置が手持可搬式である、請求項１０４に記載の方法。
【請求項１１７】
前記作動可能に適合可能とは、前記火炎発生ユニットが前記制御ユニットと通信を行うように前記火炎発生装置が前記制御ユニットに合わせて構成され、さらに前記制御ユニットが前記火炎発生装置を作動させることができるように前記火炎発生装置が前記制御ユニットに合わせて構成されていることを意味する、請求項１０４に記載の方法。
【請求項１１８】
前記制御ユニットと前記火炎発生装置の間の前記通信が、無線、有線、およびそれらの組合せである、請求項１１７に記載の方法。
【請求項１１９】
前記火炎発生装置が、他の少なくとも１つの火炎発生ユニットとモジュール式に構成可能である、請求項１０４に記載の方法。
【請求項１２０】
前記モジュール式に構成可能とは、少なくとも１つの火炎発生装置が、他の少なくとも１つの火炎発生ユニットと共に作動するように作動可能に適合可能であることを包含する、請求項１１９に記載の方法。
【請求項１２１】
入力を受け取り、前記入力に応答して火炎発生ユニットへの出力を自動的に形成する制御ユニットと、
前記制御ユニットと通信する前記火炎発生ユニットと
を備える消火訓練装置。
【請求項１２２】
前記入力が、電磁スペクトル内の発光クラス、少なくとも１つの外部指令、少なくとも１つの消火剤、圧力波、およびそれらの組合せからなる群から選択される、請求項１２１に記載の装置。
【請求項１２３】
前記発光クラスが、紫外線（ＵＶ）、可視光線、赤外線（ＩＲ）、遠赤外線、マイクロウェーブ、および無線周波数波（ＲＦ）、およびそれらの組合せからなる群から選択される、請求項１２２に記載の装置。
【請求項１２４】
前記消火剤が、水、空気と水の混合物、二酸化炭素、重炭酸ナトリウム、コーンスターチ、およびそれらの組合せからなる群から選択される、請求項１２２に記載の装置。
【請求項１２５】
前記外部指令が、音声指令、電子的指令、電子信号、およびそれらの組合せからなる群から選択される、請求項１２２に記載の装置。
【請求項１２６】
前記出力が、模擬火災、制御式模擬火災、成績測定計算値、少なくとも１つの外部指令、およびそれらの組合せからなる群から選択される、請求項１２１に記載の装置。
【請求項１２７】
前記成績測定計算値が、使用者の総合評点、正確度評点、精密度評点、訓練完結時間、作業履歴、残余消火剤、標的精度、困難度レベル、改善度、総合改善度、およびそれらの組合せからなる群から選択される、請求項１２６に記載の装置。
【請求項１２８】
前記模擬火災が、熱および光を放出する急速、持続的化学変化であり、少なくとも１つの火炎およびその組合せを伴う、請求項１２６に記載の装置。
【請求項１２９】
前記制御式模擬火災が、熱および光を放出する急速、持続的化学変化であり、形状、高さ、体積、大きさ、速度を指令に応じて変更することができる少なくとも１つの火炎、およびその組合せを伴う、請求項１２６に記載の装置。
【請求項１３０】
前記外部指令が、音声指令、電子的指令、電子信号、可視信号、およびそれらの組合せからなる群から選択される、請求項１２６に記載の装置。
【請求項１３１】
前記制御ユニットが、少なくとも１つの入力センサ、送信機、手持式制御装置、および論理システム、ならびにそれらの組合せをさらに備える、請求項１２１に記載の装置。
【請求項１３２】
前記手持式装置が、前記制御ユニットとの無線通信、前記制御ユニットとの有線通信、およびそれらの組合せを行う、請求項１３１に記載の装置。
【請求項１３３】
前記入力センサが、前記電磁スペクトル内の少なくとも１つの発光クラス、少なくとも１つの外部指令、少なくとも１つの消火剤、圧力波、およびそれらの組合せからなる群から選択される１つを感知することができる、請求項１３１に記載の装置。
【請求項１３４】
前記送信機が、前記電磁スペクトル内の少なくとも１つの発光クラス、少なくとも１つの外部指令、少なくとも１つの消火剤、圧力波、およびそれらの組合せからなる群から選択される１つを送信することができる、請求項１３１に記載の装置。
【請求項１３５】
前記火炎発生ユニットが、少なくとも１つの火炎発生本体、燃料入口、燃料流量制御部、着火装置、少なくとも１つの火炎マニホールド、少なくとも１つの温度センサ、およびそれらの組合せをさらに備える、請求項１２１に記載の装置。
【請求項１３６】
前記制御ユニットが手持可搬式である、請求項１２１に記載の装置。
【請求項１３７】
前記火炎発生ユニットが手持可搬式である、請求項１２１に記載の装置。
【請求項１３８】
前記通信が、無線、有線、およびそれらの組合せである、請求項１２１に記載の装置。
【請求項１３９】
前記火炎発生ユニットが、他の少なくとも１つの火炎発生ユニットとモジュール式に構成可能である、請求項１２１に記載の装置。
【請求項１４０】
前記モジュール式に構成可能とは、少なくとも１つの火炎発生ユニットが、他の少なくとも１つの火炎発生ユニットと共に作動するように作動可能に適合可能であることを包含する、請求項１３９に記載の装置。
【請求項１４１】
前記制御ユニットが、少なくとも１つの火炎発生ユニットとモジュール式に作動可能である、請求項１２１に記載の装置。
【請求項１４２】
前記モジュール式に作動可能とは、前記制御ユニットが、少なくとも１つの火炎発生ユニットを作動させることができることを包含する、請求項１４１に記載の装置。
【請求項１４３】
入力を受け取り、前記入力に応答して自動的に出力を形成する制御ユニットと、
前記制御ユニットと通信する少なくとも１つの火炎発生ユニットと、
前記制御ユニットと作動可能に適合可能な鎮火装置と
を備える消火訓練システム。
【請求項１４４】
前記入力が、電磁スペクトル内の発光クラス、少なくとも１つの外部指令、少なくとも１つの消火剤、圧力波、およびそれらの組合せからなる群から選択される、請求項１４３に記載のシステム。
【請求項１４５】
前記発光クラスが、紫外線（ＵＶ）、可視光線、赤外線（ＩＲ）、遠赤外線、マイクロウェーブ、および無線周波数波（ＲＦ）、およびそれらの組合せからなる群から選択される、請求項１４４に記載のシステム。
【請求項１４６】
前記消火剤が、水、空気と水の混合物、二酸化炭素、重炭酸ナトリウム、コーンスターチ、およびそれらの組合せからなる群から選択される、請求項１４４に記載のシステム。
【請求項１４７】
前記外部指令が、音声指令、電子的指令、電子信号、およびそれらの組合せからなる群から選択される、請求項１４４に記載のシステム。
【請求項１４８】
前記出力が、模擬火災、制御式模擬火災、成績測定計算値、少なくとも１つの外部指令、およびそれらの組合せからなる群から選択される、請求項１４３に記載のシステム。
【請求項１４９】
前記成績測定計算値が、使用者の総合評点、正確度評点、精密度評点、訓練完結時間、作業履歴、残余消火剤、標的精度、困難度レベル、改善度、総合改善度、およびそれらの組合せからなる群から選択される、請求項１４８に記載のシステム。
【請求項１５０】
前記模擬火災が、熱および光を放出する急速、持続的化学変化であり、少なくとも１つの火炎およびその組合せを伴う、請求項１４８に記載のシステム。
【請求項１５１】
前記制御式模擬火災が、熱および光を放出する急速、持続的化学変化であり、形状、高さ、体積、大きさ、速度を指令に応じて変更することができる少なくとも１つの火炎、およびそれらの組合せを伴う、請求項１４８に記載のシステム。
【請求項１５２】
前記外部指令が、音声指令、電子的指令、電子信号、可視信号、およびそれらの組合せからなる群から選択される、請求項１４８に記載のシステム。
【請求項１５３】
前記制御ユニットが、少なくとも１つの入力センサ、送信機、手持式制御装置、および論理システム、ならびにそれらの組合せをさらに備える、請求項１４３に記載のシステム。
【請求項１５４】
前記手持式制御装置が、前記制御ユニットとの無線通信、前記制御ユニットとの有線通信、およびそれらの組合せを行う、請求項１５３に記載のシステム。
【請求項１５５】
前記入力センサが、前記電磁スペクトル内の少なくとも１つの発光クラス、少なくとも１つの外部指令、少なくとも１つの消火剤、圧力波、およびそれらの組合せからなる群から選択される１つを感知することができる、請求項１５３に記載のシステム。
【請求項１５６】
前記送信機が、前記電磁スペクトル内の少なくとも１つの発光クラス、少なくとも１つの外部指令、少なくとも１つの消火剤、圧力波、およびそれらの組合せからなる群から選択される１つを送信することができる、請求項１５３に記載のシステム。
【請求項１５７】
前記送信機が、前記鎮火装置に作動可能に適合可能である、請求項１５３に記載のシステム。
【請求項１５８】
前記作動可能に適合可能とは、前記鎮火装置が前記送信機を作動させることができるように、前記送信機が前記鎮火装置に合わせて構成されていることを包含する、請求項１５７に記載のシステム。
【請求項１５９】
前記鎮火装置が、火災消火器、擬似火災消火器、消火ホース、擬似消火ホース、ホース、擬似ホース、およびそれらの組合せからなる群から選択される、請求項１４３に記載のシステム。
【請求項１６０】
前記制御ユニットが手持可搬式である、請求項１４３に記載のシステム。
【請求項１６１】
前記制御ユニットが、少なくとも１つの火炎発生ユニットとモジュール式に作動可能である、請求項１４３に記載のシステム。
【請求項１６２】
前記モジュール式に作動可能とは、前記制御ユニットが、少なくとも１つの火炎発生ユニットを作動させることができることを包含する、請求項１６１に記載のシステム。
【請求項１６３】
前記火炎発生ユニットが、他の少なくとも１つの火炎発生ユニットとモジュール式に構成可能である、請求項１４３に記載のシステム。
【請求項１６４】
前記モジュール式に構成可能とは、前記火炎発生ユニットが、他の少なくとも１つの火炎発生ユニットと共に作動するように構成されていることを包含する、請求項１６３に記載のシステム。
【発明の詳細な説明】
【技術分野】
【０００１】
関連出願
本発明は、その全体が参照として本明細書に組み込まれる、２００４年３月１０日出願、題名「インテリジェント消火訓練システム」の米国仮出願第６０／５５２０３９号の優先権を主張するものである。
【０００２】
本発明は、個人用の消火訓練装置、方法、およびシステムに関し、より詳細には、制御式模擬火災を伴う訓練に関する。
【背景技術】
【０００３】
消火訓練、特に制御式模擬火災状況下での訓練の分野では、個人を訓練することができる装置およびシステムに対して常に大きな努力が払われている。現在の装置およびシステムにおける高コスト、高い怪我の危険性、有害な環境破壊物質への曝露、量的質的フィードバックの欠如、および使用者指導の欠如のために、それら装置およびシステムのそのような訓練に関する使用が限定されており、個人的、商業的、および政府の各分野が採用するには実際的でない場合が多い。
【特許文献１】米国仮出願第６０／５５２０３９号
【発明の開示】
【発明が解決しようとする課題】
【０００４】
したがって、個人の消火訓練の技術分野での前記および他の欠点の少なくとも１つを克服する装置、方法およびシステムが必要とされる。
【０００５】
本発明は、前記および他の欠点の少なくとも１つを克服する、個人の消火訓練用の装置、方法、およびそのシステム、とりわけ最高で効果的な消火訓練のための訓練装置および方法を提供することを課題とする。
【課題を解決するための手段】
【０００６】
本発明の第１の一般的態様には、入力を受け取り、前記入力に応答して出力を自動的に形成する制御ユニットと、前記制御ユニットと通信する火炎発生ユニットとを備える消火訓練装置がある。
【０００７】
本発明の第２の一般的態様には、入力を受け取り、前記入力に応答して出力を自動的に形成する制御ユニットを設けるステップと、前記制御ユニットと連絡する火炎発生ユニットとを備えるステップと、前記入力を加えるステップとを含む消火訓練方法がある。
【０００８】
本発明の第３の一般的態様には、入力を受け取り、前記入力に応答して出力を自動的に形成する制御ユニットを備え、さらに前記制御ユニットが火炎発生装置に作動可能に適合可能であり、鎮火装置に作動可能に適合可能である消火訓練装置がある。
【０００９】
本発明の第４の一般的態様には、入力を受け取り、前記入力に応答して出力を自動的に形成する制御ユニットを設けるステップであって、さらに前記制御ユニットが、火炎発生装置に作動可能に適合可能であり、鎮火装置に作動可能に適合可能であるステップと、前記火炎発生装置を設けるステップと、前記鎮火装置を設けるステップと、入力を加えるステップとを含む前記消火訓練用方法がある。
【００１０】
本発明の第５の一般的態様には、少なくとも１つの入力を受け取る少なくとも１つの入力センサを有し、さらに制御ユニットと作動可能に通信するように適合可能である火炎発生ユニットを備え、前記制御ユニットが前記入力に応答して出力を自動的に形成することができる消火訓練装置がある。
【００１１】
本発明の第６の一般的態様には、少なくとも１つの入力を受け取る少なくとも１つの入力センサを有し、さらに制御ユニットと作動可能に通信するように適合可能である火炎発生装置を設けるステップと、前記入力に応答して出力を自動的に形成することができる制御ユニットを設けるステップと、前記入力を加えるステップとを含む、消火訓練方法がある。
【００１２】
本発明の第７の一般的態様には、入力を受け取り、前記入力に応答して出力を自動的に火炎発生ユニットに供給する制御ユニットを備え、前記火炎発生ユニットが前記制御ユニットと通信する消火訓練装置がある。
【００１３】
本発明の第８の一般的態様には、入力を受け取り、前記入力に応答して出力を自動的に形成する制御ユニットと、前記制御ユニットと通信する少なくとも１つの火炎発生ユニットと、前記制御ユニットと作動可能に適合可能な鎮火装置とを備える消火訓練システムである。
【００１４】
本発明の前記およびその他の特徴および利点は、本発明の好ましい実施形態のより詳細な以下の説明から明らかになろう。
【００１５】
当業者がよりよく本発明を実施することができるように、以下に図面を参照しつつ本発明について説明する。
【発明を実施するための最良の形態】
【００１６】
本発明の幾つかの実施形態が詳細に示され説明されるが、添付の特許請求の範囲を逸脱することなく様々な変更および修正を行うことができることを理解されたい。本発明の範囲は、その構成する構成要素の数、それらの材料、それらの形状、それらの相対的配置などに決して限定されるものではなく、それらは単に実施形態の例として開示されるものである。本発明の特徴および利点が添付図面に詳細に示されており、諸図面を通して、同じ参照番号は類似の要素を示す。諸図面は本発明を示すものであるが、諸図面は必ずしも尺度を合わせて描かれてはいない。
【００１７】
図１は、本発明による、制御式模擬火災などを消火する訓練のための装置６０の前視透視図である。本発明の一実施形態は、火炎発生ユニット２０および制御ユニット４０を備える装置６０である（図２および３参照）。
【００１８】
図２は、本発明による、火災、特に制御式模擬火災を消火する訓練のための装置６０の後視透視図である。本発明の一実施形態が、火炎発生ユニット２０および制御ユニット４０を備える装置６０である。図１および図２を参照すると、火炎発生ユニット２０は、ユニット本体５、燃料入口６、燃料着火装置７、火炎マニホールド８、調整可能支持部９、搬送把手１０、ユニット本体温度センサ１１、制御ユニット通信アダプタ１２、燃料流量制御部１３、燃料配管１４、燃料バルブ１６、安定度センサ１８、および燃料安全度センサ１９をさらに備える。
【００１９】
ユニット本体５は、通常、それらに限定はされないが、鋼鉄、アルミニウム、鉄、セラミック複合材、ポリマー複合材、およびそれらの組合せを含む材料から構成される。ユニット本体５を形成する前記の構成材料は、本発明の実施形態に使用することができる材料の範囲を限定することを意味するものではない。模擬火災、または制御式模擬火災によって通常発生する温度に耐えられる物理的および化学的特性を有する耐火材料であれば、本発明の方法およびシステムに従ってそれらを使用することができる。
【００２０】
模擬火災は、少なくとも１つの火炎およびその組合せを伴う、熱および光を放出する急速、持続的化学変化である。制御式模擬火災は、指令に応じて形状、高さ、大きさ、燃焼等級、速度を変更することができる少なくとも１つの火炎およびその組合せを伴う、熱および光を放出する急速、持続的化学変化である。
【００２１】
本体５の寸法（高さ×幅×奥行）は、約６インチ×１２インチ×２４インチから約１８インチ×３６インチ×６８インチの範囲内であり得る。本体５は、本体５に脱着可能に取り付け取り外すことができる、調節可能な支持部９によって支持される。さらに、支持部９は伸縮式、折りたたみ式などであってもよい。支持部９は個々に調節することができ、それにより、平坦な面、または広場、裏庭、未舗装地などの平坦でない地形に火炎発生ユニット２０を配置するのに対応することができる。支持部９は、通常、ユニット２０を平坦な面上または平坦でない地形上に約１インチ〜約３フィート浮かせるように調節することができる。ただし、ある実施形態では、いかなる身長の使用者、いかなる構造物（たとえば、梯子、足場、車両、建物など）上の使用者でも、本発明の装置、方法、およびシステムに従って、その火災を消火する訓練ができるように、地表からいかなる高さにでも調節することができる支持部を有する。
【００２２】
燃料入口６は、燃料供給源（図示せず）を燃料配管１４に相互連結させる。燃料供給源には、それには限定されないが、エタン、プロパン、ブタン、ペンタン、ヘキサン、ガソリン、ディーゼル、およびそれらの組合せなどの着火性気体または液体燃料を入れるタンク、シリンダ、ドラム、およびそれらの組合せが含まれる。通常、燃料供給源は、簡易コネクタ、ホース、ゴムチューブ、金属配管などを介して入口６に取り付けられる。燃料配管１４は、通常、一体に嵌め合わさって燃料を燃料供給源から燃料制御部１３、バルブ１６、最終的には燃料マニホールド８へと流すことができる接続パイプ、パイプアダプタ、ニップル、接手などである。さらに、複数の燃料供給源を、複数の燃料入口６および対応する配管１４を介して接続することができる。
【００２３】
燃料は、配管１４を通って燃料流量制御部１３に流れる。制御部１３は、燃料供給源からバルブ１６を介して火炎マニホールド８ならびに燃料着火装置７に流れる燃料の量を制御する。燃料バルブ１６の位置は、図２に示すように制御部１３の外、燃料制御部内（図示せず）、またはその組合せでもよい。
【００２４】
制御部１３は、発生させる火災の特性を制御する能力を有する。たとえば、クラスＡ火災、クラスＢ火災、クラスＣ火災などを制御部１３を用いて発生させることができる。各クラスの火災の特性には、それらに限定されないが、火炎の形状、火炎の高さ、火炎のボリューム、燃焼速度、視覚効果、およびそれらの組合せが含まれる。さらに、前記の特性はまた、ファン、フラップ、ルーバ、ダンパなどの機械的、電気的、および電気機械的装置を使用して制御部１３とは無関係に、または制御部１３と協働して制御することができる。
【００２５】
本発明の一実施形態に使用することができるバルブ１６には、それらに限定されないが、ピエゾ着火による間欠式口火、火花着火による口火、熱電対式火炎検知器、口火制御部、組込式自動安全遮断器、およびそれらの組合せを備えるバルブが含まれる。燃料制御方式には、それらに限定されないが、バルブ位置を制御する閉ループ・フィードバック・システム、またはバルブ・システムと任意選択的に組み合わされた液体燃料用ポンピング／加圧方式が含まれる。ポンピング／加圧方式は、適切な空気／燃料混合気を形成するためだけではなく、生成される火炎に様々な視覚効果をもたらすのにも使用することができる。
【００２６】
着火装置７は、火炎マニホールド８内の燃料を着火して火炎、すなわちマニホールド８から発出する制御式模擬火災を発生させる。マニホールド８は、通常、消火訓練に使用する必要がある所望の火炎または模擬火災を発生させることができる、標準的なグリル形式または炉形式のマニホールドである。あるいは、マニホールド８は、最適な特性を有する火炎または模擬火災を発生させるために、注文設計または専用の装置とすることもできる。さらに、マニホールド８を水中で作動させ、燃料をマニホールド中に流し、水面に浮上させ、次いで、そこで燃料に着火して模擬火災を発生させてもよい。
【００２７】
着火装置７は、手動着火装置でも、自動着火装置でもよい。制御部１３は、制御ユニット・アダプタ１２を介して制御ユニット４０から指令を受け取る。制御ユニット・アダプタ１２により、制御ユニット４０の燃料流量制御部１３への接続を容易にすることができる。温度センサ１１は、ユニット本体５の床に沿って、燃料流量制御部１３の近くに配置されている。センサ１１は、燃料流量制御部１３と直接通信する。ユニット本体５内または流量制御部１３の近傍でセンサ１１によって危険な量の熱が検知された場合、信号が流量制御部１３に送られて、燃料バルブ１６が自動的に遮断される。マニホールド８への燃料流が止められ、その結果、模擬火災が停止される。火炎発生ユニット２０は、搬送把手１０によって手持ち携行が可能である。他方、ある種の訓練環境下では、火炎発生ユニット２０ならびに装置６０全体は、手持ち携行ができない大きさになることがある。前記の火炎発生ユニット２０および装置６０の携行可能性は、本発明の実施形態で用いることができるユニット２０および装置６０の大きさの範囲を制限することを意味するものではない。
【００２８】
温度センサ１１はまた、ユニット本体５が、たとえば分解、搬送などの取扱いに安全であるか否かに対するフィードバックを検知し、提供する。安定度センサ１８は、装置６０が設置されている地表上で装置６０が安定しているか否かに対する情報を提供する。センサ１８によって装置６０が転倒しそうになっていることが検出された場合、信号が燃料制御部１３に送信されて、燃料の流れが自動的に遮断され、その結果、燃えていた可能性のある模擬火災が停止される。さらに、センサ１８は、装置６０に対して突然の、または不慮の衝撃が発生した場合、それを検出することができる。そのような事象が検出された場合、前記の安全性手順が実行され、すなわち模擬火災を遮断する。
【００２９】
燃料安全性センサ１９は、燃料流路に沿うどこで燃料漏れが発生してもそれを検出することができる。（たとえば、燃料取入口６、燃料制御部１３、燃料配管１４、バルブ１６、および燃料マニホールド８）。漏洩が検出された場合、安全上の予防措置としてシステムが遮断される。
【００３０】
制御ユニット４０は、少なくとも１つの入力センサ４１、送信機４２、手持制御装置４３、結合ステーション、メモリ・ポート、通信ポート、表示装置、火炎発生ユニット・アダプタ４８、内蔵論理システム、およびセンサ取付部５１を備える。入力センサ４１は、ユニット本体５の前面に配置されたセンサであり、論理システムと通信する。センサ４１は、有線、または無線で制御論理システムと通信することができ、電磁スペクトル内の発光クラス、外部指令、消火剤、圧力波（超音波）、それらの組合せなどの入力を認識することができる。
【００３１】
電磁気スペクトル内の発光クラスには、それに限定されないが、紫外線（ＵＶ）、可視光線、赤外線（ＩＲ）、遠赤外線、マイクロウェーブ、および無線周波数波（ＲＦ）、ならびにそれらの組合せが含まれる。本発明の入力として用いることができる消火剤には、それに限定されないが、水、空気と水の混合物、二酸化炭素、重炭酸ナトリウム、コーンスターチ、擬似消火剤物質、および標準的消火剤、ならびにそれらの組合せが含まれる。
【００３２】
外部指令には、それらに限定されないが、人間、または人工音声合成器／ディジタル音声によって与えられる音声／言語による指示、コンピュータ、ミニコンピュータ、携帯情報端末（ＰＤＡ）などによって与えることができるような電子的指示／命令、文字メッセージ、可視表示などが含まれる。さらに、圧力波、すなわち媒体を通って移動する高圧と低圧領域の繰り返しのパターンを、本発明の一実施形態での入力として使用することができる。
【００３３】
入力を受け取ると、センサ１１は、制御ユニット４０の論理システム（図示せず）と通信する。論理システムは、中央処理装置（ＣＰＵ）、ランダム・アクセス・メモリ（ＲＡＭ）、読出し専用メモリ（ＲＯＭ）、少なくとも１つの内蔵記憶格納装置、ソフトウェア、機能アルゴリズムなどを備える。ＣＰＵは、内蔵プログラムおよび設定されたパラメータに基づいて入力を翻訳し、入力に応答して出力を自動的に形成する。
【００３４】
その出力は、模擬火災または制御式模擬火災に修正を実行する指令である。燃料流量制御部１３は、燃料バルブ１６により、火炎マニホールド８への燃料流量に対して増加、減少、停止、またはそれらの組合せを行い、その結果、制御式模擬火災を拡大、縮小、または完全に鎮火させる。制御部１３は、オン／オフ・システムではない。前記のように、制御部１３は、自動的かつ双方向的に火災の特性を制御することができる。たとえば、クラスＡ火災、クラスＢ火災、クラスＣ火災などを制御部１３で発生させることができる。各クラスの火災の特性には、それらに限定されないが、火炎の形状、火炎の高さ、火炎のボリューム、燃焼速度、視覚効果、およびそれらの組合せが含まれる。さらに、前記の特性はまた、ファン、フラップ、ルーバ、ダンパなどの機械的、電気的、および電気機械的装置を使用して制御部１３とは無関係に、または制御部１３と合同で制御することができる。
【００３５】
提供される別の出力は、装置６０で訓練を実施している使用者の成績測定計算値である。成績測定値には、それらに限定されないが、使用者の総合評点、正確度評点、精密度評点、訓練完結時間、作業履歴、残余消火剤、標的精度、困難度レベル、改善度、総合改善度、およびそれらの組合せが含まれる。
【００３６】
制御ユニット４０内のスピーカまたはマイクロフォンに接続された人口音声合成器／ディジタル音声を介して制御ユニット４０によって与えられる音声／言語による指示、文字メッセージ、コンピュータ・スクリーン、ＴＶ、投影表示装置、または採点板上の可視表示などの外部指令は、本発明による出力である。
【００３７】
さらに、出力には、それらに限定されないが、火炎発生ユニット２０が特殊効果によって擬似火災を生成すること、火炎発生ユニット２０が表示装置と共に擬似火災を生成すること、およびそれらの組合せを含めることもできる。そのような装置には、テレビ表示装置、ＬＣＤ映写機、ビデオなどが含まれる。
【００３８】
表示装置は、制御ユニット４０の少なくとも１つの面上に配置された視覚表示装置であり、成績測定値、現訓練実施番号、訓練設定、使用者識別、訓練指導者識別、使用者の熟練度、訓練指導者の熟練度などのデータを提供する。
【００３９】
送信機４２は、電磁スペクトル内の少なくとも１つの発光クラス、少なくとも１つの消火剤、圧力波、およびそれらの組合せを送信／伝送することができる装置である。電磁気スペクトル内の発光クラスには、それに限定されないが、紫外線（ＵＶ）、可視光線、赤外線（ＩＲ）、遠赤外線、マイクロウェーブ、および無線周波数波（ＲＦ）、ならびにそれらの組合せが含まれる。送信機４２は、約２インチ×１インチ×６インチから約４インチ×２インチ×１２インチまでの範囲の物理的寸法を有する柱形である。あるいは、球形、矩形底面体、正方形底面体、およびそれらの組合せである。
【００４０】
送信機４２は、火災消火器、擬似火災消火器、消火ホース、擬似消火ホース、ホース、擬似ホース、およびそれらの組合せなどの鎮火装置に作動可能に適合可能である。作動可能に適合可能とは、鎮火装置が送信機４２を作動させることができるように、送信機４２が鎮火装置に合わせて形成されていることを意味する。あるいは、送信機４２を、前記いずれの鎮火装置に対しても完全に一体にすることができる。一体化は、ホースに限定されず、鎮火装置のいずれの部分に対しても行える。そのような実施形態では、鎮火装置と完全一体化送信機４２を合わせたものは、１つの送信ユニット、すなわち送信機と見なされる。
【００４１】
送信機は、取外し可能なスナップ嵌め、テープ、産業用テープ、撚り紐、ワイヤなどの取外し可能な取付装置、スクリューとボルト、フックとループ形式の装置、ならびに糊、エポキシ樹脂などの接着剤等を介して、前記消火装置に、作動可能に適合するように取り付けられる。
【００４２】
手持式制御装置４３によって、火炎発生ユニット２０の遠隔制御および操作が、制御ユニット４０を介して可能になる。手持式装置４３は、制御ユニット４０と有線または無線通信をすることができる。手持式装置４３は、火炎発生ユニット２０を作動させるために制御ユニット４０によって用いられる全てのプログラムおよびパラメータにアクセスし、火炎発生ユニット２０を作動させることができる。手持式装置４３は、表示窓、ＣＰＵ、ＲＡＭ、ＲＯＭ、および少なくとも１つの内部メモリ格納装置をさらに備えることができる。
【００４３】
結合ステーションにより、手持式制御装置４３ならびに結合ステーションに適合する他の装置を制御ユニット４０と物理的に一体化することができる。データ、パラメータの変更、プログラムの変更などを、制御ユニット４０と制御ユニット４０に結合された装置との間で伝達することができる。メモリ・ポートは、通常、一時記憶装置またはフラッシュ・メモリ装置を接続するためのＵＳＢポート、ピン・ポート、ジャックなどである。そのような装置には、それらに限定されないが、フラッシュ・ドライブ、Ｚｉｐ（登録商標）ドライブ、Ｊａｚｚ（登録商標）ドライブ、外部メモリ格納転送装置などが含まれる。
【００４４】
通信ポートは、制御ユニット４０が、使用者の成績、現在の訓練実施番号、訓練設定、使用者識別、訓練指導者識別、使用者の熟練度、訓練指導者の熟練度などの情報を表示装置または手持式制御装置４３以外の媒体へ通信することができるポートである。そのような媒体には、それらに限定されないが、プリンタ、他のコンピュータ端末、採点板、電子表示板、携帯情報端末（ＰＤＡ）などの他の手持式装置、携帯電話、Ｂｌａｃｋｂｅｒｒｙ（登録商標）装置、およびそれらの組合せが含まれる。
【００４５】
制御ユニット４０、手持式制御装置４３、送信機４２、およびそれらの組合せは、作動させると直ちに火炎発生ユニット２０を遮断し、その結果、模擬火災を停止する遮断スイッチを有する。
【００４６】
火炎発生ユニット・アダプタ４８は、通常、制御ユニット４０と火炎発生ユニット２０を相互接続するケーブルである。アダプタ４８は制御ユニット・アダプタ１２に接続され、以て制御ユニット４０と火炎発生ユニット２０の間の通信が可能になる。
【００４７】
図３は、本発明による、火災、特に制御式模擬火災を消火する訓練のための装置６０の、使用中の前方斜視図である。図１、図２、および訓練装置６０を操作中の図３を参照すると、火炎発生ユニット２０および制御ユニット４０を備える訓練装置６０は、駐車場、広場、荒廃地などの訓練場に運ばれ、使用するために組み立てられる。支持部９は、火炎発生ユニット２０のユニット本体５にねじ止めまたはスナップ嵌めされ、装置６０をバランスさせて固定し、転倒したり倒壊したりしないように調節される。次いで、制御ユニット４０が、本体５の後部に、ねじ、取付台、クリップなどを介して取り付けられる。あるいは、制御ユニット４０は、本体５と物理的に一体にならなくてもよい。制御ユニット４０は、火炎発生ユニット２０に対して、ユニット２０と４０両方の間に有線または無線の通信が可能な近さにあればよい。プロパン・タンクなどの燃料供給源（図示せず）が、燃料入口６に接続、固定され、次いで、燃料を燃料流量制御部１３に流すために開口される。
【００４８】
制御ユニット４０は、電源スイッチによって起動し、訓練セッションで使用すべきパラメータまたはテスト・プログラムを選定するように使用者を促す。使用者は、被訓練者７０でも訓練指導者７１でもよい。この例では、被訓練者７０が使用者で、訓練指導者７１が、訓練セッションを指揮している。選択することができるパラメータには、それらに限定されないが、火炎の高さ、燃焼等級、訓練時間、入力感度などが含まれる。あるいは、手持式制御装置４３が制御ユニット４０を起動し、上記の訓練パラメータを選択するのに使用することもできる。手持式装置４３は、制御ユニット４０との有線通信、制御ユニット４０との無線通信、およびそれらの組合せを行うことができる。さらに、適切なソフトウェア、識別コード、および論理システムを有する通信ポートを介して、制御ユニット４０と通信できる装置であれば、いずれも、訓練セッションを指揮することができる。
【００４９】
次いで、口火が、着火装置７を用いて点火される。制御ユニット４０は、制御ユニット４０が、手持式制御装置４３および燃料流量制御部１３と通信状態を確立し、口火が着火されていることを認識すると、装置６０が使用できる状態にあることを表示する。操作表示には、それには限定されないが、多色光、周波数が変化する音、音声メッセージ、表示装置上の文字メッセージ、外部媒体への音声および文字メッセージ、およびそれらの組合せなどの視覚または聴覚表示が含まれる。
【００５０】
火災消火器８０に圧縮空気が充填され、貯水槽に水が充填される。次いで、消火レバー７３が消火器８０の操作中に押された時、送信機４２が作動するように、送信機４２が、火災消火ホース７２に作動可能に取り付けられる。訓練指導者７１は、手持式制御装置４３に適切な指令を与えることによってセッションを開始する。手持式装置４３は、制御ユニット４０に信号を送り、次いで制御ユニット４０が、プロパンを火炎マニホールド８へ流し、口火を介して着火するように燃料流量制御部１３に指令して、制御式模擬火災７４を発生させる。模擬火災の規模は、クラスＡ火災、クラスＢ火災、クラスＣ火災、突然または突発的燃焼、燻っている火災、およびそれらの組合せを表現するように制御することができる。
【００５１】
訓練セッションは、制御ユニット４０から火災警報が発せられて、被訓練者７０に消火を始めるよう信号を送ると開始される。被訓練者７０は、送信機４２が作動可能に適合された消火器８０を取り上げ、消火レバー７３を押し（任意選択的にはピンを引き抜き）、送信機４２を作動させ、火災消火剤を模擬した空気と水の混合物を噴射する。送信機４２は、電磁発光のクラスからなる信号７５を送信する。本例では、信号は特定のＲＦである。送信機４２は、送信機がホース７２と向きが合うように、火災消火ホース７２に作動可能に適合されている。被訓練者７０が、火炎発生ユニット２０に向けてホース７２の狙いを定め消火しようとする時、送信機４２は、ホース７２が向けられたのと同じ方向にＲＦ信号を送信する。
【００５２】
模擬火災７４を消火するためには、被訓練者７０は、入力センサ４１が配置されている火災７４の基底部に向かって消火ホース７２の狙いを定め、方向矢印７６によって示す横方向運動でホース７２を動かす。これは、実生活の緊急事態で消火するのに使用する一技法であり、この特定の訓練セッション用にプログラムされた技法である。上記の技法を使用して、消火ホース７２を横方向運動７６で振り出し振り戻す時、送信機４２によって送信された信号７５が、入力センサ４１に接触する。
【００５３】
センサ４１は、入力、すなわち送信された信号７５が受信される制御ユニット４０と通信する。制御ユニット４０の論理システムは、内蔵プログラムおよび設定されたパラメータに基づいて入力を解釈し、入力に応答して出力を自動的に形成する。入力を評価するのに使用するパラメータには、それらに限定されないが、受信された入力／時間、入力の総数／総訓練時間、装置６０からの使用者の距離などが含まれる。被訓練者７０が模擬火災７４を消火するのに正しい技法を使用していると制御ユニット４０が判定した場合、出力が自動的に用意される。
【００５４】
その出力は、火炎マニホールド８への燃料流量を燃料バルブ１６を介して減少させ、その結果模擬火災の規模を縮小させる、制御ユニット４０から燃料流量制御部１３への指令である。被訓練者７０が、制御ユニット４０にロードされた現在実施している消火技法を使用し続けた場合、制御ユニット４０は入力の受信を続けて、それに応答して自動的に出力を形成し続ける。すなわち、流量制御部１３に燃料流量を減少するよう指令し、ついには流れを全く止める。被訓練者７０は、訓練成績の質的フィードバックを即時に受け取る。被訓練者７０が、正しい消火技法を使用した場合、模擬火炎の規模は縮小し、ついには消火する。
【００５５】
他方、被訓練者７０が正しくない火災消火技法を使用した場合、被訓練者７０が適切な技法を適用するまで、模擬火災７４の規模は縮小せず、実際には増大する。訓練セッション中、被訓練者７０が、火災７４の基底部に向けて消火ホース７２の狙いを定めず、ホース７２を方向矢印７６によって示されるように横方向に動かさない場合、送信機４２によって送信される信号７５は、入力センサ４１に接触せず、または入力センサ４１に時々接触するだけである。模擬火災７４を消火するのに被訓練者７０が正しい技法を使用していないと制御ユニット４０が判定し、出力が自動的に形成される。
【００５６】
その出力は、火炎マニホールド８への燃料流量を燃料バルブ１６を介して増加させる、燃料流量制御部１３に対する指令であり、その結果、模擬火災７４は従前の規模を維持し、または規模が増大することになる。被訓練者７０が、正しくない消火技法を使用し続けた場合、制御ユニット４０は入力の受信を続けて、それに応答して自動的に出力を形成し続ける。すなわち、被訓練者７０が正しい技法を使用するまで、流量制御部１３に燃料流量を増加させ、したがって模擬火災７４の規模を増大させるよう指令する。
【００５７】
提供される別の出力は、装置６０で訓練を実施している被訓練者７０の成績測定計算値である。提供される成績測定値には、それらに限定されないが、使用者の総合評点、訓練完結時間、作業履歴、残余消火剤、標的精度、合格した困難度レベル、改善度などが含まれる。被訓練者７０は、表示装置、手持式制御装置４３を介し、また、それらに限定されないが、ハードコピー、ｅメール、文字メッセージ、評点表示装置、電子表示板、ならびに、携帯情報端末（ＰＤＡ）、携帯電話、Ｂｌａｃｋｂｅｒｒｙ（登録商標）装置、およびそれらの組合せなどの別の手持式装置を含む他の媒体を介して成績測定値を受け取ることができる。
【００５８】
別法として、被訓練者７０は、他の使用者、すなわち訓練指導者７１からの支援なしに訓練セッションを実施することができる。本発明による一実施形態は、装置６０自体によって実施される訓練セッションである。制御ユニット４０は、内蔵されている論理システムに対する知能を有する。使用者が本発明による装置、方法、およびシステムで訓練することができる作動モードが少なくとも３つある。
【００５９】
教示モードは、火災消火器の使用法を被訓練者７０に教示する。制御ユニット４０によって与えられる音声指示などの外部指令によって、被訓練者７０に指示を与える。あるいは、制御ユニット４０は、指示文書の印刷、視覚指示のＴＶ上での表示、大型スクリーン表示などによって、被訓練者７０に指示することができる。たとえば、被訓練者７０は火災消火器ピンを引き抜くよう被訓練者７０に対して指示する「Ｐｕｌｌ」を、制御ユニット４０から聴くであろう。次の指令「Ａｉｍ」は、模擬火災の火炎の基底部に火災消火器のノズル／ホースの狙いを定めることを意味するであろう。「Ｓｑｕｅｅｚｅ」は、消火器のレバー／開放装置を引き絞ることを意味するであろう。最後に、模擬火災の基底部を横切るように擬似または実際の消火剤を噴射する「Ｓｗｅｅｐ」を聴くであろう。外部指令／指示が、火災を消火するのに適切な火災消火器を選択する方法を含んでいることは、想像に難くない。指示はまた、火災を消火するには危険になり過ぎ、訓練領域から退避すべき時を被訓練者７０に知らせることもできる。
【００６０】
テスト・モードは、訓練指導者７１が居る場合の上記例のように、制御式模擬火災で被訓練者７０を訓練することができる。「テスト・モード」の違いは、訓練指導者が居る必要がないことである。第３のモードは、競争モードである。複数の使用者が、装置６０で訓練することができ、制御ユニット４０によって蓄積されたそれぞれの成績計算値出力を得る。次いで、成績出力を比較して、どの使用者が最高得点を得たかを決定することができる。
【００６１】
図４は、本発明による、火災、特に制御式模擬火災を消火する訓練のための、モジュール式に構成され、かつモジュール式に制御された装置６０および１００の斜視図である。本発明の一実施形態は、少なくとも１つの他の訓練装置１００と共にモジュール式に構成され、モジュール式に制御される少なくとも１つの装置６０である。図１、図２、および、モジュール式に構成され、モジュール式に制御される訓練装置６０と１００の作動状態の図４を参照すると、火炎発生ユニット２０および制御ユニット４０を備える訓練装置６０、および火炎発生ユニット１０４を備える少なくとも第２の訓練装置１００が、駐車場、広場、荒廃地などの訓練領域に運ばれ、使用するためにそれぞれ組み立てられる。
【００６２】
支持部９は、火炎発生ユニット２０および１０４それぞれのユニット本体５にねじ止めまたはスナップ嵌めされ、装置６０および１００をバランスさせて固定し、転倒したり倒壊したりしないように調節される。プロパン・タンクなどの燃料供給源が、装置６０の燃料入口６に接続され固定される。次いで、装置１００が、燃料導管１０２を介して装置６０の燃料配管１４に接続される。その接続によって、１つの燃料供給源から両装置６０および１００に燃料を供給することが可能になる。ここに、装置６０および１００は、両装置が１つの燃料供給源を共有し、１つの燃料供給源から複数の模擬火災を発生させることができるようにモジュール式に構成される。火炎発生装置６０は、少なくとも火炎発生装置１００と共に機能を果たすように作動可能に適合されている。装置１００は、別の装置、すなわちモジュールにさらに接続され、それにより、３つの訓練装置が１つの燃料供給源を共有しながら３つの模擬火災を発生させ、なお十分に作動することができるようになる。
【００６３】
次いで、制御ユニット４０が、火炎発生ユニット２０の本体５の後部に、ねじ、取付台、クリップなどを介して取り付けられる。制御ユニット４０は、燃料流量制御部１３に接続され、さらに装置１００の燃料流量制御部１０５に接続される。それにより両装置を１つの制御ユニット４０によって制御することができるので、装置６０および１００はモジュール式に制御される。制御ユニット４０は、少なくとも装置１００の火炎発生ユニット１０４を作動可能にすることができる。制御ユニット４０は、第３の訓練装置、すなわちモジュールの第３の燃料制御部にさらに接続され、それによって３つの訓練装置を１つの制御ユニットによって作動させることができるようになる。訓練装置をモジュール式に構成し、モジュール式に作動させることによって、訓練指導者は、訓練セッション全体の範囲と形状を、屑篭火災、ストーブ火災、室内火災、室外火災など様々なシナリオを模擬するようにカスタマイズすることができる。
【００６４】
図１および図４を参照すると、各装置６０および１００、すなわちモジュールは、独立した１つの模擬火炎領域または燃焼領域と見なされる単一の火炎マニホールド８および１０６をそれぞれ備える。複数の装置をモジュール式に構成し、モジュール式に作動させることによって、複数の燃焼領域を生成することができる。あるいは、少なくとも２つの火炎マニホールドを装置６０または１００内に配置し、それによって１つの訓練装置から少なくとも２つの模擬火災を発生させることによって、単一の装置６０または１００内に複数の燃焼領域を生成することができる。各火炎マニホールドが他とは独立に制御され、したがって各模擬火災が他とは独立に生成され制御されることは、想像に難くない。
【００６５】
火災消火の訓練に関する前記の例は、本発明の一実施形態で用いることができる訓練の範囲を限定することを意味するものではない。本発明の装置、方法、およびシステムに従って、実際の消火剤および実際の鎮火装置での実際の火災、擬似消火剤および実際の鎮火装置での実際の火災、実際の消火剤および実際の鎮火装置での火炎発生ユニット２０を用いて生成された擬似火災、擬似消火剤および擬似鎮火装置での火炎発生ユニット２０を用いて生成された擬似火災、およびそれらの組合せを含む訓練法を使用することができる。
【００６６】
本発明の一実施形態は、実際の消火器からの噴射の視覚、聴覚、触覚的効果を模擬した、通常生じる洗浄および危険な状況を伴わない鎮火装置である。装置は、重量、形状、機械的運動、および慣性などの実際の火災消火器の物理的特性を模擬することができる。装置にはまた、実際の火災消火器を使用していればどこを消火しているかを使用者がそれにより見ることができる実体を噴射している幻像を、投影または生成することができるような擬似噴射能力を組み込むこともできる。
【００６７】
別の実施形態では、実際の消火剤または実際の消火剤を模擬する物質のいずれかの物質を噴射する少なくとも１つの改造型鎮火装置をさらに備える。これには、空気と水蒸気の混合物、市販の「煙」製品、粉末、または他の可視流体を含めることができる。混合物は、予め混合されていても、保持タンクから空気が流出中のいずれかの時点で混合されてもよい。射出機構には、加圧空気またはポンプ装置などの複数の方式を含めることができる。
【００６８】
物質が、空気／水混合物を含んでいる場合、水を供給するために追加の貯水槽を備えてもよい。水は、液相または蒸気相のいずれで存在してもよい。水は、自己加圧タンク、使用者が消火ハンドルを押圧した時の加圧空気、サイフォン機構、またはポンプ機構を用いて搬送することができる。火災のタイプに対してＡ、ＢおよびＣタイプの消火器間で選択を行う必要性を模擬して、消火器などの複数の鎮火装置を用いることができる。それらの擬似効果は、擬似火災のタイプ、および使用された消火器のタイプの関数であり得る。
【００６９】
記載された本発明の装置および方法の様々な修正形態および変更形態が、当業者にとって、本発明の範囲および精神から逸脱することなく明らかになろう。特定の実施形態に関して本発明を説明し、概説してきたが、本発明をそのような特定の実施形態に不当に限定するべきではないことを理解されたい。添付の特許請求の範囲に定義された本発明の精神および範囲から逸脱することなく様々な変更を加えることができる。
【図面の簡単な説明】
【００７０】
【図１】本発明による消火訓練装置の一実施形態の前方斜視図である。
【図２】本発明による消火訓練装置の一実施形態の後方斜視図である。
【図３】本発明による消火訓練装置の一実施形態を使用中の前方斜視図である。
【図４】本発明による、モジュール式に構成された消火訓練装置の一実施形態の斜視図である。
【図１】
2007528261.tif 000003
【図２】
2007528261.tif 000004
【図３】
2007528261.tif 000005
【図４】
2007528261.tif 000006
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
実際の鎮火装置および擬似鎮火装置からなる群から選択される鎮火装置と、
少なくとも１つの燃料バルブを有する火炎発生ユニットと、
前記鎮火装置から入力を受け取り、前記鎮火装置からの前記入力に応答して燃料バルブの吐出量を自動的に増加、減少、および停止させる制御ユニットと
を備える消火訓練装置。
【請求項２】
前記入力が、電磁スペクトル内の発光クラス、少なくとも１つの外部指令、少なくとも１つの消火剤、圧力波、およびそれらの組合せからなる群から選択される、請求項１に記載の装置。
【請求項３】
前記発光クラスが、紫外線（ＵＶ）、可視光線、赤外線（ＩＲ）、遠赤外線、マイクロウェーブ、および無線周波数波（ＲＦ）、およびそれらの組合せからなる群から選択される、請求項２に記載の装置。
【請求項４】
前記消火剤が、水、空気と水の混合物、二酸化炭素、重炭酸ナトリウム、コーンスターチ、およびそれらの組合せからなる群から選択される、請求項２に記載の装置。
【請求項５】
前記外部指令が、音声指令、電子的指令、電子信号、およびそれらの組合せからなる群から選択される、請求項２に記載の装置。
【請求項６】
前記圧力波が超音波である、請求項２に記載の装置。
【請求項７】
燃料バルブの前記吐出量が、模擬火災および制御式模擬火災の少なくとも１つを生じ、前記制御ユニットがまた、成績測定計算値、少なくとも１つの外部指令、およびそれらの組合せの少なくとも１つを有する、請求項１に記載の装置。
【請求項８】
前記成績測定計算値が、使用者の総合評点、正確度評点、精密度評点、訓練完結時間、作業履歴、残余消火剤、標的精度、困難度レベル、改善度、総合改善度、およびそれらの組合せからなる群から選択される、請求項７に記載の装置。
【請求項９】
前記模擬火災が、熱および光を放出する急速、持続的化学変化であり、少なくとも１つの火炎を伴う、請求項７に記載の装置。
【請求項１０】
前記制御式模擬火災が、熱および光を放出する急速、持続的化学変化であり、指令に応じて形状、高さ、体積、大きさ、速度の少なくとも１つを変更することができる少なくとも１つの火炎を伴う、請求項７に記載の装置。
【請求項１１】
前記少なくとも１つの外部指令が、音声指令、電子的指令、電子信号、視覚信号、およびそれらの組合せからなる群から選択される、請求項７に記載の装置。
【請求項１２】
前記制御ユニットが、入力センサ、送信機、手持式制御装置、論理システムの少なくとも１つをさらに備える、請求項１に記載の装置。
【請求項１３】
前記手持式装置が、前記制御ユニットとの無線通信、および前記制御ユニットとの有線通信の少なくとも１つを行う、請求項１２に記載の装置。
【請求項１４】
前記入力センサが、電磁スペクトル内の発光クラス、外部指令、消火剤、および圧力波の少なくとも１つを感知することができる、請求項１２に記載の装置。
【請求項１５】
前記送信機が、電磁スペクトル内の発光クラス、外部指令、消火剤、圧力波の少なくとも１つを送信することができる、請求項１２に記載の装置。
【請求項１６】
前記火炎発生ユニットが、火炎発生本体、燃料入口、燃料流量制御部、着火装置、少なくとも１つの火炎マニホールド、少なくとも１つの温度センサ、およびそれらの組合せからなる群から選択される、請求項１に記載の装置。
【請求項１７】
前記制御ユニットが手持可搬式である、請求項１に記載の装置。
【請求項１８】
前記火炎発生ユニットが手持可搬式である、請求項１に記載の装置。
【請求項１９】
前記火炎発生ユニットが前記制御ユニットと通信を行い、前記通信は、無線、有線、またはそれらの組合せからなる群から選択された１つを介する、請求項１に記載の装置。
【請求項２０】
前記火炎発生ユニットが、他の少なくとも１つの火炎発生ユニットとモジュール式に構成可能である、請求項１に記載の装置。
【請求項２１】
前記モジュール式に構成可能とは、前記少なくとも１つの火炎発生ユニットが第２の火炎発生ユニットに作動可能に適合可能であることを包含する、請求項２０に記載の装置。
【請求項２２】
前記制御ユニットが、少なくとも１つの火炎発生ユニットとモジュール式に作動可能である、請求項１に記載の装置。
【請求項２３】
前記モジュール式に作動可能とは、前記制御ユニットが、少なくとも１つの火炎発生ユニットを作動させることができることを意味する、請求項２２に記載の装置。
【請求項２４】
擬似鎮火装置を設けるステップと、
火炎発生ユニットを設けるステップと、
前記擬似鎮火装置から入力を受け取る制御ユニットを設けるステップと、
前記擬似鎮火装置を用いて前記模擬火災の特性を制御するステップと
を含む消火訓練方法。
【請求項２５】
前記入力が、電磁スペクトル内の発光、外部指令、圧力波、およびそれらの組合せからなる群から選択される、請求項２４に記載の方法。
【請求項２６】
前記発光が、紫外線（ＵＶ）、可視光線、赤外線（ＩＲ）、遠赤外線、マイクロウェーブ、および無線周波数波（ＲＦ）、およびそれらの組合せからなる群から選択される、請求項２５に記載の方法。
【請求項２７】
前記外部指令が、音声指令、電子的指令、電子信号、およびそれらの組合せからなる群から選択される、請求項２５に記載の方法。
【請求項２８】
使用者の総合評点、正確度評点、精密度評点、訓練完結時間、作業履歴、残余消火剤、標的精度、困難度レベル、改善度、総合改善度、およびそれらの組合せからなる群から選択される成績測定計算値を前記制御ユニットから出力することをさらに含む、請求項２４に記載の方法。
【請求項２９】
前記模擬火災が、熱および光を放出する急速、持続的化学変化であり、少なくとも１つの火炎を伴う、請求項２４に記載の方法。
【請求項３０】
前記模擬火災が、熱および光を放出する急速、持続的化学変化を含む制御式模擬火災であり、指令に応じた形状、高さ、体積、大きさ、速度の少なくとも１つを含む前記特性を有する少なくとも１つの火炎、およびその組合せを伴う、請求項２９に記載の方法。
【請求項３１】
音声指令、電子的指令、電子信号、可視信号、およびそれらの組合せからなる群から選択された外部指令を前記制御ユニットから出力するステップをさらに含む、請求項２４に記載の方法。
【請求項３２】
前記制御ユニットが、少なくとも１つの入力センサ、送信機、手持式制御装置、論理システム、ならびにそれらの組合せからなる群から選択される、請求項２４に記載の方法。
【請求項３３】
前記手持式装置が、前記制御ユニットとの無線通信、前記制御ユニットとの有線通信、およびそれらの組合せからなる群から選択される、請求項３２に記載の方法。
【請求項３４】
前記入力センサが、前記電磁スペクトル内の少なくとも１つの発光クラス、少なくとも１つの外部指令、少なくとも１つの消火剤、圧力波、およびそれらの組合せからなる群から選択される入力を感知することができる、請求項３２に記載の方法。
【請求項３５】
前記送信機が、前記電磁スペクトル内の少なくとも１つの発光クラス、少なくとも１つの外部指令、圧力波、およびそれらの組合せからなる群から選択される入力を送信することができる、請求項３２に記載の方法。
【請求項３６】
前記火炎発生ユニットが、少なくとも１つの火炎発生本体、燃料入口、燃料流量制御部、着火装置、少なくとも１つの火炎マニホールド、少なくとも１つの温度センサ、およびそれらの組合せをさらに備える、請求項２４に記載の方法。
【請求項３７】
前記制御ユニットが手持可搬式である、請求項２４に記載の方法。
【請求項３８】
前記火炎発生ユニットが手持可搬式である、請求項２４に記載の装置。
【請求項３９】
前記火炎発生ユニットが前記制御ユニットと通信することをさらに含み、
前記制御ユニットと前記火炎発生ユニットの間の前記通信が、無線、有線、およびそれらの組合せの少なくとも１つである、請求項２４に記載の方法。
【請求項４０】
前記火炎発生ユニットが、他の少なくとも１つの火炎発生ユニットとモジュール式に構成可能である、請求項２４に記載の方法。
【請求項４１】
実際の火災消火器を模擬し、実際の火災消火器の洗浄を要しない、模擬火災での訓練中に使用する鎮火装置において、
実際の火災消火器の重量および形状を有する模擬火災消火器であって、模擬火災上に実際の火災消火器を使用していればどこを消火しているかを使用者がそれによって見ることができる、実際の消火剤の可視幻像を生成する物質を収容する貯槽と、模擬火災上に実際の消火剤の可視幻像を生成する前記物質を放出する放出機構とを有する擬似火災消火器
を備える鎮火装置。
【請求項４２】
実際の消火剤の幻像を生成する前記物質が、空気と水蒸気の混合物、市販の「煙」製品、粉末からなる群から選択される、請求項４１に記載の鎮火装置。
【請求項４３】
実際の火災消火器の重量および形状を有する模擬火災消火器であって、実際の火災消火器を使用していればどこを消火しているかを使用者がそれによって見ることができる、実際の消火剤の可視幻像を生成する物質を収容する貯槽を有する擬似火災消火器を設けるステップと、
火炎発生ユニットによって生成される模擬火災を形成するステップと、
前記擬似火災消火器からの入力を受け取り、前記模擬火災を自動的に制御する制御ユニットを設けるステップと、
擬似火災消火器から前記物質を放出するステップと、
擬似火災消火器からの入力に基づいて模擬火災を制御するステップと
を含む、模擬火災による訓練方法。
【請求項４４】
模擬火災を制御する前記方法が、模擬火災を消火するステップと、模擬火災を消火するのに要した時間を出力するステップとをさらに含む、請求項４３に記載の模擬火災による訓練方法。
【請求項４５】
実際の消火剤の幻像を生成する前記物質が、空気と水蒸気の混合物、市販の「煙」製品、および粉末からなる群から選択される、請求項４３に記載の模擬火災による訓練方法。
【請求項４６】
模擬火災を制御する前記ステップが、前記擬似火災消火器から入力される圧力波によって前記模擬火災を制御するステップをさらに含む、請求項４５に記載の方法。
【請求項４７】
前記圧力波が超音波である、請求項２５に記載の方法。
【請求項４８】
前記圧力波が超音波である、請求項３４に記載の方法。
【請求項４９】
前記圧力波が超音波である、請求項３５に記載の方法。
【請求項５０】
前記圧力波が超音波である、請求項４６に記載の方法。
【請求項５１】
前記模擬火災が、クラスＡ、クラスＢ、クラスＣの少なくとも１つから選択される火災クラスである、請求項２４に記載の方法。
【請求項５２】
前記模擬火災が、クラスＡ、クラスＢ、クラスＣの少なくとも１つから選択される火災クラスである、請求項４３に記載の方法。
【請求項５３】
前記模擬火災の擬似効果が選択された火災の関数である、請求項５１に記載の方法。
【請求項５４】
前記模擬火災の擬似効果が選択された火災の関数である、請求項５２に記載の方法。
【国際調査報告】
2007528261.tif 000007
2007528261.tif 000008